【手続補正書】
【提出日】平成16年9月2日(2004.9.2)
【手続補正１】
【補正対象書類名】明細書
【補正対象項目名】発明の名称
【補正方法】変更
【補正の内容】
【発明の名称】携帯形情報機器
【手続補正２】
【補正対象書類名】明細書
【補正対象項目名】特許請求の範囲
【補正方法】変更
【補正の内容】
【特許請求の範囲】
【請求項１】
スピーカ支持部を有する導電性の筐体と、
上記筐体のスピーカ支持部に設置されたスピーカと、
上記筐体に支持され、上記スピーカを上記スピーカ支持部に保持する金属製のスピーカホルダと、を具備し、
上記スピーカホルダは、上記スピーカに弾性的に当接する接触部を有し、このスピーカホルダを介して上記スピーカと上記筐体との間が導通されることを特徴とする携帯形情報機器。
【請求項２】
請求項１の記載において、上記スピーカホルダは、上記筐体に係止される第１の端部と、上記筐体に固定される第２の端部とを有し、上記接触部は、ばね性を有するとともに上記第１の端部と上記第２の端部との間に位置することを特徴とする携帯形情報機器。
【請求項３】
請求項１又は請求項２の記載において、上記スピーカは、金属製のスピーカフレームと、このスピーカフレームに支持されるとともにサウンドの出力端となるフロントカバーとを有し、上記スピーカホルダの接触部は、上記スピーカフレームの中央部に弾性的に当接することを特徴とする携帯形情報機器。
【請求項４】
請求項３の記載において、上記スピーカフレームは、リング状の外周壁部を有するとともに、上記スピーカ支持部は、上記スピーカフレームの外周壁部に沿うような筒状のスピーカ支持壁を有し、上記スピーカフレームの外周壁部と上記スピーカ支持壁との間にクッション材が介在されていることを特徴とする携帯形情報機器。
【請求項５】
請求項４の記載において、上記筐体は、上記スピーカ支持壁によって囲まれた部分に放音用の孔を有し、上記スピーカのフロントカバーは上記クッション材によって囲まれるとともに、上記放音用の孔と向かい合うことを特徴とする携帯形情報機器。
【請求項６】
請求項２の記載において、上記筐体は、キーボードを支持するキーボード取り付け部を有し、上記キーボードは、キーを支持するキーボードパネルと、このキーボードパネルの下面を覆う金属製のシールド板とを有し、上記スピーカホルダの第１の端部は、上記キーボード取り付け部に臨むように延長された延長部を有するとともに、この延長部が上記シールド板に接していることを特徴とする携帯形情報機器。
【請求項７】
外周壁部を有するスピーカと、
上記スピーカの外周壁部を支持するスピーカ支持壁を有する筐体と、
上記筐体に支持され、上記スピーカの外周壁部を上記スピーカ支持壁に押圧することで、上記スピーカを上記筐体に保持するスピーカホルダと、を具備し、
上記スピーカホルダは、上記筐体に係止される第１の端部と、上記筐体に固定される第２の端部と、上記第１の端部と上記第２の端部との間で上記スピーカに弾性的に接する接触部と、を有し、
上記スピーカホルダの接触部は、上記第１の端部を上記筐体に係止させ、かつ上記第２の端部を上記筐体に固定した時に上記スピーカに接触するとともに、上記スピーカ支持壁との間で上記スピーカを弾性的に挟みこんで保持することを特徴とする携帯形情報機器。
【請求項８】
請求項７の記載において、上記スピーカの外周壁部と上記スピーカ支持壁との間にゴム状弾性体からなるクッション材が介在されていることを特徴とする携帯形情報機器。
【請求項９】
請求項８の記載において、上記筐体は、上記スピーカに対応する位置に放音用の孔を有し、上記スピーカは、上記外周壁部を有するスピーカフレームと、上記スピーカフレームに支持され、サウンドの出力端となるフロントカバーとを有し、上記フロントカバーは上記クッション材によって囲まれるとともに、上記放音用の孔と向かい合うことを特徴とする携帯形情報機器。
【請求項１０】
請求項２又は請求項７の記載において、上記スピーカホルダの第２の端部は、ねじを介して上記筐体に固定されることを特徴とする携帯形情報機器。
【手続補正３】
【補正対象書類名】明細書
【補正対象項目名】０００９
【補正方法】変更
【補正の内容】
【０００９】
本発明の目的は、スピーカのグランド接続を強化することができ、スピーカのノイズ対策を効果的に高めることができる携帯形情報機器を得ることにある。
【手続補正４】
【補正対象書類名】明細書
【補正対象項目名】００１０
【補正方法】変更
【補正の内容】
【００１０】
本発明の他の目的は、スピーカの振動を防止して音質を改善できる携帯形情報機器を得ることにある。
【手続補正５】
【補正対象書類名】明細書
【補正対象項目名】００１１
【補正方法】変更
【補正の内容】
【００１１】
【課題を解決するための手段】
上記目的を達成するため、本発明の一つの形態に係る携帯形情報機器は、
スピーカ支持部を有する導電性の筐体と、
上記筐体のスピーカ支持部に設置されたスピーカと、
上記筐体に支持され、上記スピーカを上記スピーカ支持部に保持する金属製のスピーカホルダとを具備している。
上記スピーカホルダは、上記スピーカに弾性的に当接する接触部を有し、このスピーカホルダを介して上記スピーカと上記筐体との間が導通されることを特徴としている。
【手続補正６】
【補正対象書類名】明細書
【補正対象項目名】００１２
【補正方法】変更
【補正の内容】
【００１２】
この構成によれば、金属製のスピーカホルダの接触部がスピーカに弾性的に接するので、スピーカホルダとスピーカとの接触状態が安定する。そのため、たとえ筐体に寸法公差が生じたとしても、スピーカを筐体に確実に接地させることができ、スピーカのグランド接続を強化することができる。
【手続補正７】
【補正対象書類名】明細書
【補正対象項目名】００１３
【補正方法】変更
【補正の内容】
【００１３】
上記他の目的を達成するため、本発明の一つの形態に係る携帯形情報機器は、
外周壁部を有するスピーカと、
上記スピーカの外周壁部を支持するスピーカ支持壁を有する筐体と、
上記筐体に支持され、上記スピーカの外周壁部を上記スピーカ支持壁に押圧することで、上記スピーカを上記筐体に保持するスピーカホルダとを具備している。、
上記スピーカホルダは、上記筐体に係止される第１の端部と、上記筐体に固定される第２の端部と、上記第１の端部と上記第２の端部との間で上記スピーカに弾性的に接する接触部とを有し、上記スピーカホルダの接触部は、上記第１の端部を上記筐体に係止させ、かつ上記第２の端部を上記筐体に固定した時に上記スピーカに接触するとともに、上記スピーカ支持壁との間で上記スピーカを弾性的に挟みこんで保持することを特徴としている。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
この構成によれば、スピーカは、スピーカ支持壁に弾性的に支持されるので、たとえスピーカ支持壁に寸法公差が生じたとしても、この寸法公差分を吸収できる。そのため、スピーカとスピーカ支持壁との間に隙間が生じることはなく、スピーカの振動を確実に防止することができる。よって、スピーカの振動に伴う筐体からの異音の発生を防止でき、サウンド出力時の音質を改善できる。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００３５
【補正方法】変更
【補正の内容】
【００３５】
第１のガイド壁４３ａは、キーボード取り付け部９の後端の周壁１１と向かい合っている。この第１のガイド壁４３ａは、下向きに開放されたガイド溝４４を有している。このガイド溝４４は、上記スピーカ３５ａの舌片３８に対応するものであり、このガイド溝４４に舌片３８を挿入することにより、スピーカ支持壁４１に対するスピーカ３５ａの周方向への位置決めがなされている。
第２および第３のガイド壁４３ｂ，４３ｃは、第１のガイド壁４３ａと周壁１１との間において、スピーカ３５ａを径方向から挟み込むように配置されている。これらガイド壁４３ｂ，４３ｃは、夫々スピーカフレーム３６の外周壁部３６ａに接触もしくは隣接する凸部４５を有している。
【手続補正１４】
【補正対象書類名】明細書
【補正対象項目名】００５７
【補正方法】変更
【補正の内容】
【００５７】
【発明の効果】
以上詳述した本発明によれば、スピーカを筐体に確実に接地させることができるので、スピーカのグランド接続を強化することができ、スピーカのノイズ対策を効果的に高めることができる。
さらに、スピーカとスピーカ支持壁との間にスピーカの振動を助長するような隙間が生じることはなく、スピーカの振動に伴う筐体からの異音の発生を防止して、サウンド出力時の音質を改善できる。
【手続補正１５】
【補正対象書類名】明細書
【補正対象項目名】００５８
【補正方法】削除
【補正の内容】
【手続補正１６】
【補正対象書類名】明細書
【補正対象項目名】００５９
【補正方法】削除
【補正の内容】
【手続補正１７】
【補正対象書類名】明細書
【補正対象項目名】００６０
【補正方法】削除
【補正の内容】
【手続補正１８】
【補正対象書類名】明細書
【補正対象項目名】符号の説明
【補正方法】変更
【補正の内容】
【符号の説明】
４…筐体、３５ａ，３５ｂ…スピーカ、３６ａ…外周壁部、４０…スピーカ支持部、４１…スピーカ支持壁、５５…スピーカホルダ、５６ａ…第１の端部、５６ｂ…第２の端部、５６ｃ…接触部。